(57)【要約】【課題】発信機の本体部の外面に損傷が発生するおそれを防止しつつ本体部と取付け用プレートとの位置合わせを行い、固定用のネジをネジ穴に螺合させ易くすることができる発信機の取付け器具を提供する。【解決手段】発信機の一部が嵌合可能な嵌合凹部を備えたパネル部材と、該パネル部材の背面に接合される板状の取付け用プレートとを有し、押釦が操作されたことに応じて信号を発信する発信機を所定の取付け面に取り付けるための取付け器具において、パネル部材には、嵌合凹部に発信機の本体ケースが挿通可能な開口と固定用のネジが挿通可能なネジ挿通穴とを形成し、背面に位置合わせ用の突起を形成するとともに、取付け用プレートには位置合わせ用の突起に対応する位置に切欠きを設け、パネル部材のネジ挿通穴に対応する位置にネジ穴を、また該ネジ穴の外側に取付け用ネジのネジ挿通穴を形成するようにした。【選択図】図６
2018181242.tif 000002
【特許請求の範囲】
【請求項１】
前方から操作可能な押釦および該押釦が操作されたことを検知可能な検知手段が内蔵された本体ケースを有する発信機の一部が嵌合可能な嵌合凹部を備えたパネル部材と、該パネル部材の背面に接合される板状の取付け用プレートと、を有し、前記押釦が操作されたことに応じて信号を発信する前記発信機を所定の取付け面に取り付けるための取付け器具であって、
前記パネル部材には、前記嵌合凹部に前記本体ケースが挿通可能な開口と固定用のネジが挿通可能なネジ挿通穴とが形成され、背面に位置合わせ用の突起が形成され、
前記取付け用プレートには、前記位置合わせ用の突起に対応する位置に当該突起と対応する形状の切欠きが設けられ、前記ネジ挿通穴に対応する位置にネジ穴が、また該ネジ穴の外側に取付け用のネジが挿通可能なネジ挿通穴が形成されていることを特徴とする発信機の取付け器具。
【請求項２】
前記発信機の前記本体ケースが直方体状であり、前記開口は、各辺が前記本体ケースを垂直面で切断した際に生じる長方形の辺のうち長い辺の長さよりも長い矩形状をなすように形成され、
前記取付け用プレートの前記切欠きおよび前記ネジ挿通穴の形成位置から前記開口を中心として９０度回転した位置に、前記切欠きおよび前記ネジ挿通穴と同様な切欠きおよびネジ挿通穴が、また前記取付け用プレートの前記ネジ穴の形成位置から前記開口を中心として９０度回転した位置に、第２のネジ挿通穴がそれぞれ形成されていることを特徴とする請求項１に記載の発信機の取付け器具。
【請求項３】
前記位置合わせ用の突起および前記切欠きは、前記開口の中心線を挟んで同一距離の位置に対称な形状を有し対をなすように形成され、
前記取付け用プレートの前記９０度回転した位置に形成される切欠きは、前記対をなす切欠きのうちの一方の切欠きを共有して対をなすように形成されていることを特徴とする請求項２に記載の発信機の取付け器具。
【請求項４】
前記ネジ穴は、バーリング加工部に設けられていることを特徴とする請求項２又は３に記載の発信機の取付け器具。
【請求項５】
前記発信機は正面視で円形の一部が切り欠かれた形状をなし、前記パネル部材は前記発信機の円形の一部が切り欠かれた部位を補完する形状をなすように形成された補形部を備えることを特徴とする請求項２〜４のいずれかに記載の発信機の取付け器具。
【請求項６】
請求項２〜５のいずれかに記載の取付け器具によって、前方から操作可能な押釦および該押釦が操作されたことを検知可能な検知手段が内蔵された本体ケースを有する発信機を、所定の開口を有する取付け面に取り付ける発信機の取付け方法であって、
前記取付け用プレートの前記ネジ挿通穴に挿通したネジによって、前記取付け用プレートを前記取付け面に取り付けるとともに、前記パネル部材の前記ネジ挿通穴に挿通したネジを前記ネジ穴に螺合させることにより前記発信機と前記取付け用プレートとを一体にする場合には、前記取付け用プレートの前記バーリング加工部の突出側の面が前記取付け面と対向する側に来るように、前記取付け用プレートの表裏を設定して配設し、
前記パネル部材の前記ネジ挿通穴を貫通しさらに前記取付け用プレートの前記第２のネジ挿通穴に挿通したネジを前記取付け面に設けられているネジ穴に螺合させることにより前記発信機を前記取付け用プレートと一体にしつつ取り付ける場合には、前記取付け用プレートの前記バーリング加工部の突出側の面が前記取付け面と対向しない側に来るように、前記取付け用プレートの表裏を設定して配設することを特徴とする発信機の取付け方法。
【発明の詳細な説明】
【技術分野】
【０００１】
本発明は、緊急報知用の発信機等の壁面取付け機器を壁面のパネル等に固定するための取付け器具に関し、例えば建物の壁部に設けられ火災発生時に操作されることで警報を発するための火災発信機を壁面パネルや消火栓箱の扉等に固定するための取付け器具および取付け方法に利用して有効な技術に関する。
【背景技術】
【０００２】
従来、建物内部には火災の発生を知らせるために、火災報知システムが設けられている。火災報知システムは、火災感知器や押釦スイッチを備えた手動の火災発信機、受信機、火災報知用のベル、表示灯などから構成され、このうち火災発信機は建物の廊下等の壁面に適切な高さで設置されている。火災発生時には、発見者が火災発信機の押釦スイッチを強く押すことにより、火災発生を知らせる信号が受信機に伝送されると共に、火災発信機の近傍に設けられるベルから警報音が発せられて、周囲の人に対し火災発生を知らせることができる。
【０００３】
このような火災発信機は、円盤状のものが一般的であり、火災発信機本体は上記押釦スイッチを備え、押釦スイッチが押された場合に信号を伝送するための回路が内蔵されており、建物の壁面に埋め込むように設置される。さらに、火災発信機本体の室内露出部分を覆う前面カバーが火災発信機本体の前面に設けられている。このような火災発信機としては、例えば特許文献１に記載されているものがある。
【０００４】
また、近年、従来のものに比べて小型軽量化された発信機が開発されており、このような小型の発信機を、従来の発信機の交換用として取り付ける場合、既存の壁面パネル等の取付：用の開口部が大きすぎるため、そのままでは取り付けることができない。そこで、既存の壁面パネル等の取付け面に加工を施すことなく取付けを可能にした発信機用アダプタに関する発明が提案されている（特許文献２）。
【先行技術文献】
【特許文献】
【０００５】
【特許文献１】実開平０４−４０３９５号公報
【特許文献２】特開２０１４−１５７４４６号公報
【発明の概要】
【発明が解決しようとする課題】
【０００６】
特許文献２に記載されている発信機用アダプタは、発信機が挿入される開口部を有し、該開口部に発信機が挿入されて一体にされる本体部と、該本体部を取付け面に取り付けるための取付部（円形板）とを有するようにしたもので、取付部には、当該取付部を取付け面に固定するためのネジが挿入されるネジ挿通穴と、発信機を本体部と一体にするためのネジが螺合されるネジ穴とが設けられている。
【０００７】
しかしながら、特許文献に記載されている発信機用アダプタにあっては、本体部と取付部（円形板）に形成されている発信機挿入用の開口部を利用して本体部と取付部とを位置合わせするようになっている。そのため、固定用のネジをネジ穴に螺合させ易くするにはアダプタの本体部の外形寸法および取付部の挿入用開口部の寸法精度を高める必要がある一方、本体部の外形寸法および開口部の寸法精度を高くすると開口部に本体部を挿入させにくくなるとともに、無理に挿入しようとすると、本体部が損傷してしまうおそれがあるという課題がある。
【０００８】
また、特許文献２に記載されている発信機用アダプタにおいては、種々のタイプの取付け面（消火栓箱の扉を含む）に設けられているネジ穴を利用して発信機を取り付けることができるようにするため、取付部（円形板）の複数個所に複数のネジ挿通穴（だるま穴）を形成しておいて、いずれかのネジ挿通穴を選択的に使用して発信機を取り付けられるように構成されている。
【０００９】
本発明は上記のような課題に着目してなされたもので、その目的とするところは、発信機の本体部の外面に損傷が発生するおそれを防止しつつ本体部と取付け用プレートとの位置合わせを行い、固定用のネジをネジ穴に螺合させ易くすることができる発信機の取付け器具を提供することにある。
本発明の他の目的は、取付け面のネジ穴を利用して発信機を固定することができる上、取付け用プレートのネジ穴部にバーリング加工を施したとしても、取付け面のネジ穴を利用して発信機を固定する際に取付け用プレートと取付け面との間に隙間が生じてしまうことがない発信機の取付け方法を提供することにある。
【課題を解決するための手段】
【００１０】
上記課題を解決するために、本発明は、
前方から操作可能な押釦および該押釦が操作されたことを検知可能な検知手段が内蔵された本体ケースを有する発信機の一部が嵌合可能な嵌合凹部を備えたパネル部材と、該パネル部材の背面に接合される板状の取付け用プレートと、を有し、前記押釦が操作されたことに応じて信号を発信する発信機を所定の取付け面に取り付けるための取付け器具において、
前記パネル部材には、前記嵌合凹部に前記本体ケースが挿通可能な開口と固定用のネジが挿通可能なネジ挿通穴とが形成され、背面に位置合わせ用の突起が形成され、
前記取付け用プレートには、前記位置合わせ用の突起に対応する位置に当該突起と対応する形状の切欠きが設けられ、前記ネジ挿通穴に対応する位置にネジ穴が、また該ネジ穴の外側に取付け用のネジが挿通可能なネジ挿通穴が形成されているようにしたものである。
【００１１】
上記構成によれば、発信機の本体部と取付け用プレートの位置合わせを、発信機の本体部と取付け用プレートに設けられている開口との係合で行うのではなく、パネル部材に設けた突起と取付け用プレートに設けた切欠きとの係合で行うので、発信機の本体部の外面に損傷が発生するおそれを防止しつつ本体部と取付け用プレートとの位置合わせを行うことができる。また、係合爪を設けるのではなく、突起と切欠きとの単なる係合で位置合わせを行うので、発信機の取付け時にパネル部材が締付け方向に歪むのを回避することができる。
また、取付け用プレートには、パネル部材に設けたネジ挿通穴に対応する位置にネジ穴が、また該ネジ穴の外側に取付け用のネジが挿通可能なネジ挿通穴が形成されているので、発信機とパネル部材とを一体化させつつネジ穴の位置が異なる既設の取付け面に対して発信機を取り付けることができる。なお、「ネジ挿通穴」は、円形は勿論のこと、長円形の穴でも、切欠きであっても良い。
【００１２】
ここで、望ましくは、前記発信機の前記本体ケースが直方体状であり、前記開口は、各辺が前記本体ケースを垂直面で切断した際に生じる長方形の辺のうち長い辺の長さよりも長い矩形状をなすように形成され、
前記取付け用プレートの前記切欠きおよび前記ネジ挿通穴の形成位置から前記開口を中心として９０度回転した位置に、前記切欠きおよび前記ネジ挿通穴と同様な切欠きおよびネジ挿通穴が、また前記取付け用プレートの前記ネジ穴の形成位置から前記開口を中心として９０度回転した位置に、第２のネジ挿通穴がそれぞれ形成されているように構成する。
かかる構成によれば、取付け用プレートを取付け面の形態に応じて９０度回転させることで、ネジ穴の位置が異なる既設の複数の取付け面に対して発信機を取り付けることができる。なお、「第２のネジ挿通穴」は、円形は勿論のこと、長円形の穴でも、切欠きであっても良い。
【００１３】
また、望ましくは、前記位置合わせ用の突起および前記切欠きは、前記開口の中心線を挟んで同一距離の位置に対称な形状を有し対をなすように形成され、
前記取付け用プレートの前記９０度回転した位置に形成される切欠きは、前記対をなす切欠きのうちの一方の切欠きを共有して対をなすように形成されているように構成する。
かかる構成によれば、位置合わせのために取付け用プレートに形成する切欠きの数を少なくすることができ、これによって取付け用プレートの強度が低下するのを回避することができる。
【００１４】
さらに、望ましくは、前記ネジ穴はバーリング加工部に設けるようにする。
かかる構成によれば、取付け用プレートのネジ穴が、バーリング加工部に設けられているので、固定用のネジをネジ穴に螺合させ易くすることができるとともに、ネジ穴の有効長さを確保することができる。
【００１５】
さらに、望ましくは、前記発信機は正面視で円形の一部が切り欠かれた形状をなし、前記パネル部材は前記発信機の円形の一部が切り欠かれた部位を補完する形状をなすように形成された補形部を備えるようにする。
かかる構成によれば、既設の発信機に代えて新たな発信機を設置する際に、元の発信機と見かけ上ほとんど変わらない発信機を設置することができる。また、発信機が設置される建物の空間デザイン的な調和や兼ね合いの要請等により、パネル部材の形状を変えることで、発信機全体の外観を所望の形状に変えることができる。
【００１６】
また、本出願の他の発明は、上記のような構成を有する取付け器具によって、前方から操作可能な押釦および該押釦が操作されたことを検知可能な検知手段が内蔵された本体ケースを有する発信機を、所定の開口を有する取付け面に取り付ける発信機の取付け方法において、
前記取付け用プレートの前記ネジ挿通穴に挿通したネジによって、前記取付け用プレートを前記取付け面に取り付けるとともに、前記パネル部材の前記ネジ挿通穴に挿通したネジを前記ネジ穴に螺合させることにより前記発信機と前記取付け用プレートとを一体にする場合には、前記取付け用プレートの前記バーリング加工部の突出側の面が前記取付け面と対向する側に来るように、前記取付け用プレートの表裏を設定して配設し、
前記パネル部材の前記ネジ挿通穴を貫通しさらに前記取付け用プレートの前記第２のネジ挿通穴に挿通したネジを前記取付け面に設けられているネジ穴に螺合させることにより前記発信機を前記取付け用プレートと一体にしつつ取り付ける場合には、前記取付け用プレートの前記バーリング加工部の突出側の面が前記取付け面と対向しない側に来るように、前記取付け用プレートの表裏を設定して配設するようにしたものである。
【００１７】
上記のような方法によれば、取付け用プレートのネジ穴部にバーリング加工を施したとしても、取付け面のネジ穴を利用して発信機を固定する際に取付け用プレートと取付け面との間に隙間が生じてしまうのを防止することができる。また、取付け用プレートのネジ穴を、バーリング加工部に設けることで、ネジ穴の有効長さを確保しつつ取付け用プレートの板厚を薄くして、パネル部材の取付け面からの突出量を少なくすることができる。
【発明の効果】
【００１８】
本発明によれば、発信機の本体部の外面に損傷が発生するおそれを防止しつつ本体部と取付け用プレートとの位置合わせを行い、固定用のネジをネジ穴に螺合させ易くすることができる発信機の取付け器具を提供することができる。また、本発明によれば、取付け面のネジ穴を利用して発信機を固定することができる上、取付け用プレートのネジ穴部にバーリング加工を施したとしても、取付け面のネジ穴を利用して発信機を固定する際に取付け用プレートと取付け面との間に隙間が生じてしまうことがない発信機の取付け方法を提供することができる。
【図面の簡単な説明】
【００１９】
【図１】本発明に係る取付け器具を使用して好適な火災発信機の一例を示すもので、（Ａ）は発信機の正面図、（Ｂ）は発信機の側面図である。
【図２】図１の火災発信機の内部構造を示す分解斜視図である。
【図３】図１の火災発信機を斜め後方から見た斜視図である。
【図４】図１の火災発信機の中央にて切断して内部構造を示した縦断面図である。
【図５】図１の火災発信機を消火栓箱の扉等のパネルに取り付ける際の様子を示す斜視図である。
【図６】図１の火災発信機（発信装置）を機器収容箱の前面に取り付ける際の様子を示す斜視図である。
【図７】取付け器具を構成する装飾パネルの一実施例を示すもので、（Ａ）は装飾パネルの前方側から見た斜視図、（Ｂ）は装飾パネルの後方側から見た斜視図である。
【図８】図１の火災発信機を図７の装飾パネルに嵌合させて一体化した様子を示す斜視図である。
【図９】実施例の火災発信機の取付け器具を構成する取付け用プレートの詳細を示すもので、（Ａ）は正面図、（Ｂ）は側面図、（Ｃ）は要部拡大断面図である。
【図１０】火災発信機が取り付けられる取付け面の例としての機器収容箱の前面パネルの構成を示す正面図である。
【図１１】火災発信機が取り付けられる取付け面の例としてのスイッチボックスカバーの前面を示す正面図である。
【図１２】実施例の取付け器具を構成する取付け用プレートの変形例を示す正面図である。
【発明を実施するための形態】
【００２０】
以下、図面を参照して、本発明に係る取付け器具およびこれを適用して有効な火災発信機の一実施形態について説明する。
本実施形態の火災発信機（以下、単に発信機と記す）１０は、火災等の異常が発生した際に押釦を強く押して内部のスイッチをオンさせることにより異常の発生を知らせる信号を受信機に伝送する機能を備え、建造物の壁面あるいは消火栓箱の扉などに設置されて使用されるように構成されている。具体的には、本実施形態の発信機は、押釦スイッチを有する発信機本体と、発信機本体を壁面等に取り付けるためのリング状のナットからなる固定手段と、発信機本体と合体して一体化される表示灯または装飾プレートおよび取付け用プレートなどから構成される。
【００２１】
図１〜図４は、発信機の構成を示す。このうち、図１（Ａ）は発信機の正面図、図１（Ｂ）は発信機の側面図、図２は発信機の分解斜視図、図３は図１に示す火災発信機を斜め後方から見た斜視図、図４は図１に示す火災発信機の中央にて切断して内部構造を示した縦断面図である。
図１に示すように、発信機１０は、前面中央に押釦１１が設けられており、該発信機１０を壁面等に取り付けるための固定手段としてのリング状ナット２０を備える。
【００２２】
また、発信機１０は、前面視小判状（円を２本の平行線で上下に切断し、切断された左右両側の弓状部を除いた形状）をなしほぼ中央に押釦１１を有する本体ケース１２と、該本体ケース１２の前端部と係合する収納枠部１３Ａを背部に有する取付けベース体１３と、を備える。取付けベース体１３は、ほぼ平坦な前面パネル部を有し該前面パネル部の縁部に、上フランジ部１３Ｂ1および下フランジ部１３Ｂ2と横フランジ部１３Ｂ3（図３参照）が設けられているとともに、中央に押釦１１の前面が臨む開口部１３Ｃが形成されている。また、取付けベース体１３の収納枠部１３Ａは上面と下面がそれぞれ円筒の一部をなす円弧状に形成され、それらの周面に、リング状ナット２０が螺合可能な部分雄ネジ１３Ｄ1，１３Ｄ2が形成されている。
【００２３】
さらに、取付けベース体１３の前面には、上記開口部１３Ｃの上方に、収納凹部１３Ｅ（図２参照）が形成され、該収納凹部１３Ｅの前面側を覆うように小扉１４が設けられている。小扉１４は、両側部に上下方向に沿って所定の高さを有するリブ１４ａ，１４ａが形成され、該リブ１４ａ，１４ａの外側面にガイド溝１４ｂが形成されている。そして、該ガイド溝１４ｂが収納凹部１３Ｅの側壁面に形成されている突状部１３ａに係合されるとともに、ガイド溝１４ｂの一方の端（図２では上側の端部）が閉塞されている。また、収納凹部１３Ｅの底壁には、突状部１３ａに対応する高さ位置に、小扉１４の断面形状に対応した横長の矩形開口部１３ｂと、取付けベース体１３から本体ケース１２が外れるのを防止する脱落防止ネジ２３が挿通されるネジ挿通孔１３ｅが形成されている。
【００２４】
なお、上記収納凹部１３Ｅの底壁には、本体ケース１２に内蔵される後述の回路基板上に設けられている電話コネクタに接続された電話ジャックに対応して電話機プラグを挿通可能にするための電話機プラグ差込口１３ｃと、後述の押釦ロック解除用の復旧レバー１７の先端が突出するための開口１３ｄが形成されている。
【００２５】
押釦１１は、下方へ向かって伸びる２本の脚部１１ａ，１１ａを有し、該脚部１１ａ，１１ａの先端（図では下端）には、外側方へ向って突出する突起が形成されており、該突起が本体ケース１２の前面下部に設けられている一対の支承部１２ｂ，１２ｂ（図４参照）に係合されることで、突起を支点にして前後に回動可能に構成されている。また、押釦１１の背部と本体ケース１２との間には、圧縮バネ１５および押釦スイッチ１６が配設され、押釦１１が圧縮バネ１５のバネ力に抗して後方へ押圧されると、押釦スイッチ１６がオンされるように構成されている。
【００２６】
さらに、押釦１１の上端には係止片１１ｃが形成されているとともに、本体ケース１２の前面の収容凹部１２Ａ内に収容され先端が上下動可能にされた復旧レバー１７および該復旧レバー１７を下方へ向かって押圧する圧縮バネ１８が設けられており、押釦１１が押圧されると上端の係止片１１ｃが復旧レバー１７の先端の爪１７ａに係合することで押圧された状態が保持される。また、この状態で、復旧レバー１７の先端が圧縮バネ１８のバネ力に抗して上方へ持ち上げられると、係止片１１ｃと復旧レバー１７の爪１７ａとの係合が外れ、圧縮バネ１５のバネ力によって押釦１１が前方へ押されて元の位置に復帰するように構成されている。
【００２７】
また、本体ケース１２の背部には、発光素子Ｌ１が実装された回路基板１９および該回路基板１９を覆う背面カバー２１が、ネジ２２によって装着されるように構成されている。本体ケース１２には、押釦１１の背部に相当する位置に発光素子Ｌ１の先端が突出する孔１２ｄが形成されているとともに、押釦１１が半透明な樹脂で形成されることで、押釦１１を押すことにより押釦スイッチ１６がオンされて火災発生を知らせる信号が受信機に伝送され、火災発信機からの信号で発光素子Ｌ１が点灯され、その光が半透明な押釦１１を通して視認できるように構成されている。
【００２８】
回路基板１９上には、押釦スイッチ１６がオンされたことを検知して火災発生信号を生成する信号生成回路や生成された信号火災受信機へ送信する信号出力回路、火災発信機からの信号を受信する信号受信回路、受信した信号に応じて発光素子Ｌ１を点灯させる駆動回路、電話ジャックに接続され火災発信機の電話機との間で通話信号を送受信する送受信回路などを構成する抵抗やコンデンサ、ＩＣなどの電子部品が実装され、基板にはこれらの電子部品間を電気的に接続する配線パターンが形成されている。
【００２９】
上記本体ケース１２と取付けベース体１３とは、取付けベース体１３背部の収納枠部１３Ａと本体ケース１２の前端部（小判状部分）との嵌め合いにより一体化され、取付けベース体１３の収納枠部１３Ａの底壁に設けられているネジ挿通孔１３ｅに挿通されるネジ２３と、本体ケース１２の収容凹部１２Ａ内に設けられたボス部１２Ｂ内に埋設されたナット（図示省略）とによって結合されるように構成されている。
また、背面カバー２１には、一対の固定用のネジ２２が挿通される一対のネジ挿通孔２１ａと、上記回路基板１９上の回路と火災受信機とを接続するリード線が結合される端子台１９Ａを露出させたりリード線を引き出したりするための開口部２１ｂが設けられている。
【００３０】
上記のような構成を有する火災発信機１０は、例えば図５に示すように、本体ケース１２の外形に対応した形状の開口３０Ａを有する消火栓箱や各種機器収容箱の扉のパネルあるいは建物の壁面に設けられている取付けパネルのようなパネル３０を挟むようにして、火災発信機１０とリング状のナット２０を対向させ、火災発信機１０の本体ケース１２をパネル３０の開口３０Ａ内に挿入して、背部に突出した取付けベース体１３の外周面の部分雄ネジ１３Ｄ1と１３Ｄ2に、リング状のナット２０の雌ネジ部２０Ａを螺合させることで、取付けベース体１３とナット２０とでパネル３０を挟み込むことでパネル３０に取り付けられる。
【００３１】
次に、図６〜図１０を用いて、上記のように構成された発信機の取付け器具（発信機カバー）の実施例について説明する。図６〜図１０に示す発信機の取付け器具は、既設の旧型発信機を図１〜図４に示す構成を有する発信機に置き換える場合に利用して好適な器具である。
具体的には、既設の火災発信機は、外形がほぼ円盤状をなし図１〜図４の発信機に比べて大型である。本実施例の取付け器具（発信機カバー）は、図６に示すように、上述の発信機１０が嵌合される凹部および開口部を有する装飾パネル４０と該装飾パネル４０の背面に接合される金属製の取付け用プレート４４とを備え、図８に示すように、装飾パネル４０に発信機１０を嵌合させて合体させると、円盤状をなす既設の旧型発信機と外観が似ている発信機に変身可能に構成されている。
【００３２】
なお、既設の旧型発信機が取り付けられている取付け面（壁面パネルや消火栓箱の扉）には、円盤状の旧型発信機の外径よりも一回り小さな径を有する円形の開口が形成され、その開口の縁部に固定用のネジが螺合されるネジ穴が形成された構成を有している。
そのため、本実施例の取付け器具（発信機カバー）を使用せずに、図１〜図４に示す発信機を直接取付け面に取り付けると、発信機の両側方に開口の一部がはみ出して見えてしまい、見た目が悪くなる。
【００３３】
そこで、本発明では、以下に詳しく説明するような装飾パネル４０および取付け用プレート４４を有する取付け器具（発信機カバー）を用いて発信機を取付け面に取り付けるようにしている。また、図１〜図４に示す発信機を取り付ける際に、取付け面側に新たにネジ穴の形成等の加工作業を実施することなく取付けを行えるようにするため、開口の縁部のネジ穴を利用することとした。そして、そのために、取付け用プレート４４には、取付け面側に既に形成されているネジ穴と対応する位置にネジ挿通穴を設けることとした。なお、装飾パネル４０と取付け用プレート４４には、発信機１０の本体部が嵌合される開口がそれぞれ形成される。
【００３４】
本実施例の取付け器具を構成する装飾パネル４０は、図７（Ａ）に示すように、前面側に、発信機１０の左右両側方に位置する一対の弓形の補形部４１Ａ，４１Ｂと、発信機１０の取付けベース体１３が嵌合可能な嵌合凹部４２ａを有する台座部４２と、を備え、全体として円盤状をなすように構成されている。そして、台座部４２の底壁中央には、発信機１０の本体ケース１２が挿通可能な開口４３が形成され、該開口４３の上縁および下縁には、装飾パネル４０を壁面等の取付け面に固定するためのネジを挿通させる切欠き４３ａ，４３ｂが設けられている。切欠き４３ａ，４３ｂの代わりに、ネジ挿通穴を設けても良い。
【００３５】
上記台座部４２の底壁は、発信機１０の本体ケース１２の部分ネジ周辺部後面１２Ｃ（収容凹部１２Ａの裏面）が接触可能に、本体ケース１２の後壁と対応する形状（実施例では平坦面）に形成されている。また、嵌合凹部４２ａの縁部には、取付けベース体１３の上フランジ部１３Ｂ1および下フランジ部１３Ｂ2と横フランジ部１３Ｂ3，１３Ｂ4が接合される段差部４２ｂが形成されている。これにより、装飾パネル４０の開口４３に発信機１０の本体部１２を挿入して取付けベース体１３を嵌合凹部４２ａに収納させると、図８に示すように、装飾パネル４０と発信機１０とが一体となり、旧型発信機と外観が似ている発信機に変身することとなる。
【００３６】
ここで、上記のような構成を有する本実施例の取付け器具を用いて発信機１０を取付け面に設置する方法について説明する。図６に示すように、装飾パネル４０と一体の火災発信機１０は、装飾パネル４０の裏面側に取付け用プレート４４を配設し、取付け用プレート４４を、消火栓箱や各種機器収容箱の扉のパネルあるいは建物の壁面に設けられている取付けパネルのようなパネルの前面に図示しないネジにて取り付ける（取付けパネルに既設のネジ穴がある場合は、取付け用プレートの対応する穴を利用する）。
【００３７】
その後、発信機１０を取付けベース体１３と本体ケース１２に分けて、本体ケース１２と取付け用プレート４４で、装飾パネル４０を挟むようにして、ネジ４５Ａ，４５Ｂを本体ケース１２より切欠き４３ａ，４３ｂに挿通して、取付け用プレート４４の対応する位置に形成されているネジ穴（雌ネジ）４６ａ，４６ｂに螺合させることで取り付けられる。図６では、ネジ４５Ａ，４５Ｂが本体ケース１２の外側に示されているが、取付け時には、本体ケース１２の前方から本体ケース１２の収容凹部１２Ａに設けられているネジ挿通孔１２ｃ，１２ｄ（図２、図３参照）に挿入されてから切欠き４３ａ，４３ｂに挿通される。
【００３８】
次に、本実施形態における発信器の取付け器具の詳細について説明する。
本実施形態においては、装飾パネル４０の背面側に、図７（Ｂ）に示すように、リング状をなす周壁４０Ａの内周面の上部であって台座部４２のやや外側寄り位置に、一対の位置合わせ用の山形突起４０ａ，４０ｂが形成されている。山形突起４０ａ，４０ｂはほぼ直角三角形状をなし、一方の辺は垂直方向すなわち開口４３の両側縁と平行となるように形成され、他方の辺は水平方向すなわち開口４３の上下縁と平行となるように形成されている。
【００３９】
一方、取付け用プレート４４には、図９（Ａ）に示すように、中央に発信機１０の本体ケース１２が嵌合される開口４４Ａが形成されている。開口４４Ａは、一辺の長さが、発信機１０の本体ケース１２の外形を形成する辺のうち大きい方の辺（実施例では縦の辺）よりも僅かに大きなほぼ正方形状をなすように形成される。これにより、取付け用プレート４４は、図６に示す向きと、この向きから垂直面内で９０度回転させた向きで、発信機１０の本体ケース１２と開口４４Ａとが嵌合可能となる。
【００４０】
また、本実施例の取付け用プレート４４には、上記装飾パネル４０の背面の上記山形突起４０ａ，４０ｂと対応する位置に、山形突起４０ａ，４０ｂと係合可能な切欠き４４ａ，４４ｂが形成されている。また、取付け用プレート４４の開口４４Ａの上縁および下縁には、装飾パネル４０を壁面等の取付け面に固定するためのネジ４５Ａ，４５Ｂ（図６参照）が螺合されるネジ穴４６ａ，４６ｂが設けられている。しかも、このネジ穴４６ａ，４６ｂは、バーリング加工を施した穴の内側に雌ネジを形成してなるもので、これにより取付け用プレート４４の板厚が薄くても充分なネジ長さが得られるようになっている。
【００４１】
さらに、取付け用プレート４４の上縁および下縁には、ネジ挿通穴４７ａ，４７ｂが形成されている。このネジ挿通穴４７ａ，４７ｂは、図１０に示すような機器収容箱の前面パネル６０の開口部６０Ａの縁部に、旧型発信機を取り付けるために形成されているネジ穴６０ａ，６０ｂに対応して設けられたもので、ネジ挿通穴４７ａ，４７ｂにネジ４８Ａ，４８Ｂ（図６参照）を挿通してから先端を機器収容箱前面パネル６０のネジ穴６０ａ，６０ｂに螺合させることで、機器収容箱の前面パネル６０に取付け用プレート４４を固定することができるようになっている。
【００４２】
また、図９（Ａ）に示すように、取付け用プレート４４の縁部には、上記ネジ挿通穴４７ａ，４７ｂと同一の半径位置で９０度離れた位置にネジ挿通穴４７ｃ，４７ｄが形成されている。
既存の機器収容箱の前面パネル６０は、図１０に示すように、発信機を取り付けるための上記開口部６０Ａの他、表示灯を取り付けるための開口部６０Ｂおよび電子ベルのような発音器の音を発散させる音孔６０Ｃが設けられており、図１０の機器収容箱の前面パネル６０はこれらが縦方向に並んだ状態で配設されている。
【００４３】
一方、図１０に示す機器収容箱の前面パネル６０を横向きにして配設したい場合がある。この場合、発信機を取り付ける開口部６０Ａ、表示灯を取り付けるための開口部６０Ｂおよび音孔６０Ｃは横方向に並んだ状態となるが、この横向きの前面パネル６０に発信機を取り付ける場合、発信機は前面パネル６０に対して９０度回転させた状態で取り付ける必要がある。そのため、縦型と横型とで前面パネルの共通化を図りたい場合には、図１０に示すように、前面パネル６０の開口部６０Ａの周囲に９０度おきに４個のネジ穴６０ａ〜６０ｄを形成しなければならなくなる。
【００４４】
これに対し、本実施例の取付け用プレート４４においては、ネジ挿通穴４７ａ，４７ｂと９０度離れた位置にネジ挿通穴４７ｃ，４７ｄが形成されているため、このネジ挿通穴４７ｃ，４７ｄを利用して取付け用プレート４４を機器収容箱の前面パネル６０に固定することにより、縦型の機器収容箱と横型の機器収容箱とで、前面パネル６０に形成するネジ穴６０ａ，６０ｂの位置を同じにすることができる（ネジ穴６０ｃ，６０ｄが不要となる）。これにより、製造ラインでのネジ穴形成個数が増加するのを回避することができるとともに、縦型と横型とで前面パネルの共通化を図ることが可能となる。なお、表示灯には上下の向きがないので、表示灯を取り付けるための開口部６０Ｂの縁に形成されるネジ穴６０ｅ，６０ｆは縦に並んでいても横に並んでいても構わない。
【００４５】
また、従来、配線と器具の取り出し線との接合や他のボックスへの配線の接続等を行うため建物の壁面に埋設されるスイッチボックスが知られており、既存のスイッチボックスの前面に発信機等の電子機器を取り付けるための部品として、図１１（Ａ），（Ｂ）に示すようなスイッチボックスカバー６１Ａ，６１Ｂがある。なお、図１１（Ａ），（Ｂ）のうち（Ａ）は１個用、（Ｂ）は２個用のものである。スイッチボックスカバー６１Ａ（６１Ｂ）には、発信機取付け用のネジ穴６１ａ，６１ｂ（６１ａ〜６１ｄ）が形成されており、その高さ方向の間隔Ｌは、本実施例の取付け用プレート４４に形成されているネジ穴４６ａ，４６ｂの間隔と同一である。
【００４６】
本発明者は、ネジ穴４６ａ，４６ｂを利用して上記スイッチボックスカバー６１Ａ，６１Ｂに対して、前記実施例で説明した発信機１０を取り付けることを検討した。しかし、ネジ穴４６ａ，４６ｂをスイッチボックスカバー６１Ａのネジ穴６１ａ，６１ｂと重ねると、ネジ（螺旋）の連続性が保証されないため、両方のネジ穴に１つのネジを螺合させて締め付けると、取付け用プレート４４とスイッチボックスカバー６１Ａの前面との間に隙間が生じたりネジ山が潰れたりしてしまう。そこで、取付け用プレート４４の開口４４Ａの縁部のネジ穴４６ａ，４６ｂから９０度円周方向に離れた位置に、一対の切欠き（挿通穴でも可）を形成し、取付け用プレート４４を９０度円周方向に回転させた向きで設置することとした。
【００４７】
さらに、本実施例の取付け器具を構成する取付け用プレート４４には、図１１（Ａ），（Ｂ）に示すスイッチボックスカバー６１Ａと６１Ｂのいずれに対しても取り付け可能にするため、図９（Ａ）に示すように、開口４４Ａの両側縁部に切欠き４９ａ，４９ｂ，４９ｃと長穴４９Ａを、また開口４４Ａの上縁部に長穴４９Ｂ、開口４４Ａの下縁部に切欠き４９ｄを設けることとした。切欠き４９ａ，４９ｂ，４９ｃ，４９ｄは、ネジを挿通可能な貫通穴であっても良い。
さらに、取付け用プレート４４の外周部には、前記位置合わせ用の切欠き４４ａ，４４ｂから９０度円周方向に離れた位置に、同じく位置合わせ用の切欠き４４ｃ，４４ｄが設けられている。これにより、取付け用プレート４４を９０度円周方向に回転させた向きで設置する際に、取付け用プレート４４と装飾パネル４０とを正確に位置合わせすることができる。
【００４８】
なお、図１１（Ａ）のスイッチボックスカバー６１Ａに発信機１０を取り付ける際には、取付け用プレート４４の切欠き４９ａ，４９ｂをスイッチボックスカバー６１Ａのネジ穴６１ａ，６１ｂに合致させた状態で、ネジ４５Ａ，４５Ｂ（図６）をネジ穴６１ａ，６１ｂに螺合させることで固定する。一方、図１１（Ｂ）のスイッチボックスカバー６１Ｂに発信機１０を取り付ける際には、取付け用プレート４４の切欠き４９ｃと長穴４９Ａをスイッチボックスカバー６１Ａのネジ穴６１ｂと６１ｃに合致させた状態、または取付け用プレート４４の切欠き４９ｄと長穴４９Ｂをスイッチボックスカバー６１Ａのネジ穴６１ａ，６１ｄに合致させた状態で、ネジ４５Ａ，４５Ｂをネジ穴６１ａ，６１ｄに螺合させることで固定する。
【００４９】
さらに、本発明者は、当初、発信機を取り付ける際に単に取付け用プレート４４を９０度回転させて取り付けることを考えた。しかし、より詳細に検討したところ、取付け用プレート４４のネジ穴４６ａ，４６ｂをバーリング加工で形成していると、図９（Ｃ）に示すように、ネジ穴４６ａ，４６ｂの縁部が取付け用プレート４４の表面から突出するため、取付け用プレート４４を９０度回転させた際に、ネジ穴４６ａ，４６ｂの縁部がスイッチボックスカバー６１Ａの前面と干渉して隙間が生じてしまうことが明らかとなった。
【００５０】
そこで、スイッチボックスカバー等取付け面側に既に設けられているネジ穴を利用して発信機を取り付ける際には、取付け用プレート４４の表裏を逆にする、すなわちバーリング加工に伴い生じる突出部がある取付け用プレート４４の表面が前面側に来るようにして設置することにした。なお、以下の説明では、ネジ穴４６ａ，４６ｂの縁部が突出している側の面を取付け用プレート４４の表面、反対側の面を取付け用プレート４４の裏面と称する。
取付け面側に既に設けられているネジ穴（例えば６１ａ〜６１ｄ）を利用して発信機１０を取り付ける際には、発信機を固定するためのネジ４５Ａ，４５Ｂ（図６参照）を取付け面（例えばスイッチボックスカバー）のネジ穴に螺合させることによって、発信機１０とスイッチボックスカバーとの間に装飾パネル４０と取付け用プレート４４とが同時に挟み込まれるため、取付け用プレート４４のネジ穴４６ａ，４６ｂは使用しないので、何ら支障はない。
【００５１】
ここで、従来型の発信機に替えて単に上記実施例の発信機１０をスイッチボックスカバーに取り付けることだけを考えると、装飾パネル４０のみ挟み込めばよく、取付け用プレート４４を用いなくても取り付けることは可能である。ただし、装飾パネル４０が合成樹脂で形成されている場合、取り付けのためにネジ４５Ａ，４５Ｂを締め付けた際に装飾パネル４０が変形してしまうおそれがある。しかるに、装飾パネル４０の裏面に前記取付け用プレート４４を介在させると、ネジ４５Ａ，４５Ｂを締め付けた際に装飾パネル４０に作用する力を取付け用プレート４４が分散させることで、装飾パネル４０が変形したり破損したりするのを防止することができるという利点がある。
【００５２】
一方、取付け用プレート４４へバーリング加工を施すのを止めることも考えられる。しかし、バーリング加工を止めると代わりに取付け用プレート４４の板厚を厚くしなければならず、取付け用プレート４４の板厚を厚くすると、装飾パネル４０に接合した際に装飾パネル４０の裏面からの突出量が多くなってしまう。従って、取付け用プレート４４の装飾パネル４０の裏面からの突出量を少なくするため板厚を薄くする必要があるので、取付け用プレートのネジ穴部にはバーリング加工を施すのが望ましい。
【００５３】
また、本実施例の取付け用プレート４４は、装飾パネル４０の裏面に接合されるため、発信機１０と装飾パネル４０を一体化するために取付け用プレート４４のネジ穴にネジを螺合させる際に、装飾パネル４０によってネジ穴の位置が見えなくなり、作業がやりにくいという不具合がある。この場合、バーリング加工が施されていると、表側のネジ穴の入り口が傾斜して凹んでいるため、ネジ穴の入り口の傾斜によってネジが誘導され、ネジ穴が見えなくても作業がやり易くなるという利点がある。従って、取付け用プレート４４のネジ穴４６ａ，４６ｂを利用して発信機１０と装飾パネル４０を一体化させる際には、バーリング加工による表側のネジ穴が前に来て、ネジ穴の突出側が取付け面側に来るように、取付け用プレート４４の表面が装飾パネル４０の裏面に接合するように表裏を設定するのが良い。
【００５４】
（変形例）
次に、図１２を用いて、本発明に係る発信機の取付け器具の変形例について説明する。
上記実施例の取付け器具においては、装飾パネル４０と取付け用プレート４４との位置合わせのため、取付け用プレート４４に、装飾パネル４０の一対の山形突起４０ａ，４０ｂと係合する切欠きとして、円周方向に９０度離れた位置にて、それぞれ対をなすように切欠き４４ａ，４４ｂと切欠き４４ｃ，４４ｄを設けている。
【００５５】
これに対し、図１２の変形例においては、各切欠きを垂直方向の中心線と水平方向の中心線に対して中心角で４５度の位置に形成することで、３個の切欠き４４ａ，４４ｂ，４４ｄを設け、取付け用プレート４４を装飾パネル４０の裏面に位置合わせして接合する際には、切欠き４４ａ，４４ｂを山形突起４０ａ，４０ｂに係合させるか、切欠き４４ｂ，４４ｄを山形突起４０ａ，４０ｂに係合させるようにしたものである。このような配置で切欠きを形成すれば、何ら機能を損なうことなく、切欠きの数を４個から３個に減らすことができる。
【００５６】
なお、上記実施例では、取付け用プレート４４のバーリング加工した部位にネジ穴４６ａ，４６ｂを形成したものについて説明したが、取付け用プレート４４として例えば炭素鋼等の強度の高い金属からなる板を使用すれば、バーリング加工せずに薄いままの板にネジ山を一回りでも形成することでネジ固定することができる。また、取付け用プレート４４を樹脂で形成しても良く、その場合には、プレートを厚くしてタップを切ったりあるいは金属ナットを埋め込んだりするようにしても良い。さらに、取付け用プレート４４が金属製の場合、バーリング加工をするかわりにプレートにナットを溶接、またはカシメナット加工するようにしても良い。
【００５７】
以上、本発明を実施形態に基づいて説明したが、本発明は上記実施形態のものに限定されるものではない。例えば、装飾パネル４０の上部と下部にそれぞれ対をなす山形突起を形成するとともに、取付け用プレート４４には上下対称位置および左右対称位置にそれぞれ対をなす切欠きを形成する変形例も考えられるが、図７の実施例や図１２の変形例のように、対称位置の一方に山形突起と切欠きをそれぞれ形成することで、取付け作業の際に取付け用プレート４４の上下の取り違えを防止することができる。
【００５８】
また、上記実施形態では、小判形の発信機１０と嵌合凹部を有する装飾パネル４０とを一体化して旧型の円盤状発信機と類似の外観を有する発信機を構成可能にしたものについて説明したが、上記実施例における装飾パネル４０として、内部にランプを内蔵し発信機の左右に配置される表示部を有するパネルとすることで発信機と表示灯とが一体になったものを、既存の取付け面に取り付ける際に使用する取付け器具として構成することも可能である。
さらに、上記実施形態では、本発明を、火災報知システムを構成する火災発信機および該発信機と合体可能な装飾パネルを組み合わせた機器に適用したものを説明したが、本発明は火災発信機に限定されず、駅のプラットホームや踏切に設置される列車緊急報知用の発信機、トイレや浴室など設置される緊急呼出し用の発信機に広く利用することができる。
【符号の説明】
【００５９】
１０  発信機
１１  押釦
１２  本体ケース
１２Ｃ  収容凹部１２Ａの裏面（後面）
１３  取付けベース体
１３Ａ  収納枠部
１３Ｂ  フランジ部
１３Ｄ  部分雄ネジ
１４  小扉
１６  押釦スイッチ（検知手段）
１７  復旧レバー（操作杆）
１９  回路基板
２０  リング状ナット（固定手段）
３０  取付けパネル
４０  装飾パネル
４０ａ，４０ｂ  位置合わせ用の突起
４１Ａ，４１Ｂ  補形部
４２  台座部
４２ａ  嵌合凹部
４４  取付け用プレート
４４ａ〜４４ｄ  位置合わせ用の切欠き
４６ａ，４６ｂ  ネジ穴
４７ａ〜４７ｄ  ネジ挿通孔
【図１】
2018181242.tif 000003
【図２】
2018181242.tif 000004
【図３】
2018181242.tif 000005
【図４】
2018181242.tif 000006
【図５】
2018181242.tif 000007
【図６】
2018181242.tif 000008
【図７】
2018181242.tif 000009
【図８】
2018181242.tif 000010
【図９】
2018181242.tif 000011
【図１０】
2018181242.tif 000012
【図１１】
2018181242.tif 000013
【図１２】
2018181242.tif 000014